(57)【要約】【課題】電気光学装置の小型化と画像データの転送の際の省電力化を図る。【解決手段】複数の走査線、複数のデータ線、及び複数の画素が形成される画素領域１０４を有する電気光学パネル１００と、電気光学パネルの基板１０２に実装され、複数のデータ線にデータ信号を供給する少なくとも１つのデータドライバＳＤ１、ＳＤ２と、基板１０２に実装され、少なくとも１つのデータドライバを制御する表示コントローラＬＣと、を含み、表示コントローラは、少なくとも１画面分の画像データを記憶する表示メモリＭＢと、表示メモリの制御処理と、外部とのインターフェース処理を行う制御ロジック回路ＬＯＧと、を含み、表示コントローラ及び少なくとも１つのデータドライバは、画素領域の第１の辺である第１の画素領域側辺ＳＡ１と、電気光学パネルの第１の辺であって第１の画素領域側辺に対向する第１のパネル側辺ＳＢ１との間に設けられる。【選択図】図２
2009258509.tif 000002
【特許請求の範囲】
【請求項１】
複数の走査線、複数のデータ線、および複数の画素が形成される画素領域を有する電気光学パネルと、
前記電気光学パネルの基板に実装され、前記複数のデータ線にデータ信号を供給する少なくとも１つのデータドライバと、
前記電気光学パネルの基板に実装され、前記少なくとも１つのデータドライバを制御する表示コントローラと、
を含み、
前記表示コントローラは、
少なくとも１画面分の画像データを記憶する表示メモリと、
前記表示メモリの制御処理と、外部とのインターフェース処理を行う制御ロジック回路と、を含み、
前記表示コントローラおよび前記少なくとも１つのデータドライバは、
前記画素領域の第１の辺である第１の画素領域側辺と、前記電気光学パネルの第１の辺であって前記第１の画素領域側辺に対向する第１のパネル側辺との間に設けられることを特徴とする電気光学装置。
【請求項２】
請求項１において、
前記第１の画素領域側辺に沿った方向を第１の方向とし、
前記第１の方向に対して垂直な方向を第２の方向とし、
前記データドライバの前記第２の方向における幅をＷＤとし、
前記表示コントローラの前記第２の方向における幅をＷＬとした場合に、
前記少なくとも１つのデータドライバは、前記表示コントローラの前記第１の方向に配置され、かつ
ＷＤ≧ＷＬであることを特徴とする電気光学装置。
【請求項３】
請求項１または請求項２において、
前記少なくとも１つのデータドライバとして、第１のデータドライバと第２のデータドライバが設けられ、
前記第１のデータドライバは、前記表示コントローラの前記第１の方向に配置され、
前記第２のデータドライバは、前記第１のデータドライバの前記第１の方向に配置されることを特徴とする電気光学装置。
【請求項４】
請求項３において、
前記基板上には、
前記表示コントローラから前記第１のデータドライバおよび前記第２のデータドライバに前記画像データを供給するための共用のデータバスが配線されることを特徴とする電気光学装置。
【請求項５】
請求項４において、
前記表示コントローラは、前記第１のデータドライバに対して、前記第１のデータドライバによる前記画像データの取り込みをイネーブルにする第１のイネーブル信号を出力し、
前記第１のデータドライバは、前記第１のイネーブル信号がアクティブになった場合に、前記データバスに供給された前記画像データの取り込みを開始し、かつ前記第２のデータドライバに対して、前記第２のデータドライバによる前記画像データの取り込みをイネーブルにする第２のイネーブル信号を出力し、
前記第２のデータドライバは、前記第２のイネーブル信号がアクティブになった場合に、前記データバスに供給された前記画像データの取り込みを開始することを特徴とする電気光学装置。
【請求項６】
請求項１または請求項２において、
前記少なくとも１つのデータドライバとして、第１〜第Ｎのデータドライバ（Ｎは３以上の整数）が設けられ、
前記第１〜第Ｎのデータドライバのうちの第１のデータドライバは、前記表示コントローラの前記第１の方向に配置され、
前記第１〜第Ｎのデータドライバのうちの第ｉのデータドライバ（２≦ｉ≦Ｎ）は、前記第１〜第Ｎのデータドライバのうちの第（ｉ−１）のデータドライバの前記第１の方向に配置されることを特徴とする電気光学装置。
【請求項７】
請求項６において、
前記基板上には、
前記表示コントローラから前記第１〜第Ｎのデータドライバに前記画像データを供給するための共用のデータバスが配線され、
前記表示コントローラは、
前記第１のデータドライバに対して、前記第１のデータドライバによる前記画像データの取り込みをイネーブルにする第１のイネーブル信号を出力し、
前記第（ｉ−１）のデータドライバは、
前記第（ｉ−１）のデータドライバによる前記画像データの取り込みをイネーブルにする第（ｉ−１）のイネーブル信号がアクティブになった場合に、前記データバスに供給された前記画像データの取り込みを開始し、かつ前記第ｉのデータドライバに対して、前記第ｉのデータドライバによる前記画像データの取り込みをイネーブルにする第ｉのイネーブル信号を出力することを特徴とする電気光学装置。
【請求項８】
請求項１または請求項２において、
前記少なくとも１つのデータドライバとして、第１のデータドライバと第２のデータドライバが設けられ、
前記表示コントローラは、前記第１のデータドライバと前記第２のデータドライバとの間に配置されることを特徴とする電気光学装置。
【請求項９】
請求項８において、
前記基板上には、
前記表示コントローラから前記第１のデータドライバに前記画像データを供給するための第１のデータバスと、
前記表示コントローラから前記第２のデータドライバに前記画像データを供給するための第２のデータバスと、
が配線され、
前記表示コントローラは、
前記第１のデータバスを介して、前記第１のデータドライバに前記画像データを供給すると共に、前記第２のデータバスを介して、前記第２のデータドライバに前記画像データを供給することを特徴とする電気光学装置。
【請求項１０】
請求項８または請求項９において、
前記表示コントローラの前記表示メモリは、第１のメモリブロックと第２のメモリブロックに分割され、
前記制御ロジック回路は、前記第１のメモリブロックと前記第２のメモリブロックとの間に設けられ、
前記第１のメモリブロックから読み出された画像データは、前記第１のデータバスを介して、前記第１のデータドライバに供給され、
前記第２のメモリブロックから読み出された画像データは、前記第２のデータバスを介して、前記第２のデータドライバに供給されることを特徴とする電気光学装置。
【請求項１１】
請求項１乃至１０のいずれかにおいて、
前記電気光学パネルの前記基板には、信号線が配線されたフレキシブル基板が接続され、
前記表示コントローラは、前記フレキシブル基板に配線された前記信号線を介して、前記少なくとも１つのデータドライバに信号を供給することを特徴とする電気光学装置。
【請求項１２】
請求項１１において、
前記表示コントローラは、前記少なくとも１つのデータドライバに対して高速シリアル転送で画像データを送信し、
前記フレキシブル基板に配線される前記信号線は、前記高速シリアル転送における差動信号線であることを特徴とする電気光学装置。
【請求項１３】
請求項１１または請求項１２において、
前記表示コントローラは、
電源電圧生成用の昇圧回路を含み、
前記昇圧回路の昇圧用キャパシタは、前記フレキシブル基板に実装されることを特徴とする電気光学装置。
【請求項１４】
請求項１乃至１３のいずれかに記載の電気光学装置を含むことを特徴とする電子機器。
【発明の詳細な説明】
【技術分野】
【０００１】
本発明は、電気光学装置、および電子機器等に関する。
【背景技術】
【０００２】
パーソナルコンピュータ、携帯情報端末、携帯電話、テレビジョン装置などの電子機器で使用される電気光学パネルを含む電気光学装置として、低消費電力で薄型、軽量である液晶表示装置や有機ＥＬディスプレイなどが多く使用されている。近年では、これらの電子機器の高性能化に伴って、当該電気光学装置の高性能化と共に小型化や薄型化、簡略化が求められている。
【０００３】
このような電気光学装置の高性能化や小型化を実現するために、特許文献１には、水平同期信号および垂直同期信号が入力されることにより、種々のタイミング信号をデータドライバおよび走査ドライバに与える表示コントローラを基板上に実装する表示装置が開示されている。
【０００４】
また、電気光学装置の高性能化・小型化の実現にあたり、電気光学パネルの画素領域の拡大とともに、当該画素領域の縁部領域の縮小を図るために、特許文献２には、画素部に画素信号を供給する周辺回路のうち、少なくとも一部の周辺回路が基板上に配置されている電気光学装置が開示されている。
【特許文献１】特開平８−５０２７２号公報
【特許文献２】特開２００２−７２２３３号公報
【発明の開示】
【発明が解決しようとする課題】
【０００５】
しかしながら、ＱＨＤ等のように電気光学パネルの解像度が上がると、画像データの転送スピードが上がり、動画のように画像データを常時転送するような場合では、電気光学装置のインターフェースの消費電力が増大することが問題となっていた。また、動画のように常時転送の場合だと、ホストと各データドライバとの転送距離が大きいと、当該転送におけるホスト−ＲＡＭ間での信号線の消費電力が増大する問題があった。
【０００６】
本発明に係る幾つかの態様によれば、電気光学装置の小型化と画像データの転送の際の省電力化が図れる。
【課題を解決するための手段】
【０００７】
本発明は、複数の走査線、複数のデータ線、および複数の画素が形成される画素領域を有する電気光学パネルと、前記電気光学パネルの基板に実装され、前記複数のデータ線にデータ信号を供給する少なくとも１つのデータドライバと、前記電気光学パネルの基板に実装され、前記少なくとも１つのデータドライバを制御する表示コントローラと、を含み、前記表示コントローラは、少なくとも１画面分の画像データを記憶する表示メモリと、前記表示メモリの制御処理と、外部とのインターフェース処理を行う制御ロジック回路と、を含み、前記表示コントローラおよび前記少なくとも１つのデータドライバは、前記画素領域の第１の辺である第１の画素領域側辺と、前記電気光学パネルの第１の辺であって前記第１の画素領域側辺に対向する第１のパネル側辺との間に設けられる電気光学装置に関係する。
【０００８】
本発明の電気光学装置によれば、データドライバを制御する表示コントローラに画像データを記憶する表示メモリを実装させて、かつデータドライバと同様に電気光学パネルの基板に設けられているから、表示メモリと各データドライバとの間の転送距離を短縮できる。このため、画像データの転送における消費電力を低減できる。
【０００９】
このとき、本発明では、前記第１の画素領域側辺に沿った方向を第１の方向とし、前記第１の方向に対して垂直な方向を第２の方向とし、前記データドライバの前記第２の方向における幅をＷＤとし、前記表示コントローラの前記第２の方向における幅をＷＬとした場合に、前記少なくとも１つのデータドライバは、前記表示コントローラの前記第１の方向に配置され、かつＷＤ≧ＷＬであることとしてもよい。
【００１０】
このようにすれば、電気光学パネルの縁部領域の第２の方向での幅を小さくできる。
【００１１】
また、本発明では、前記少なくとも１つのデータドライバとして、第１のデータドライバと第２のデータドライバが設けられ、前記第１のデータドライバは、前記表示コントローラの前記第１の方向に配置され、前記第２のデータドライバは、前記第１のデータドライバの前記第１の方向に配置されることとしてもよい。
【００１２】
このようにすれば、第１の方向に沿って、表示コントローラから第１のデータドライバ、および第２のデータドライバに画像データを供給して、第１のデータドライバ、および第２のデータドライバの駆動を制御することができる。
【００１３】
また、本発明では、前記基板上には、前記表示コントローラから前記第１のデータドライバおよび前記第２のデータドライバに前記画像データを供給するための共用のデータバスが配線されることとしてもよい。
【００１４】
このようにすれば、表示コントローラから各データドライバに画像データを供給するためのデータバスを電気光学パネルの基板上の縁部領域に１組だけ配線すればよいので、当該縁部領域の第２の方向での幅を小さくできる。
【００１５】
また、本発明では、前記表示コントローラは、前記第１のデータドライバに対して、前記第１のデータドライバによる前記画像データの取り込みをイネーブルにする第１のイネーブル信号を出力し、前記第１のデータドライバは、前記第１のイネーブル信号がアクティブになった場合に、前記データバスに供給された前記画像データの取り込みを開始し、かつ前記第２のデータドライバに対して、前記第２のデータドライバによる前記画像データの取り込みをイネーブルにする第２のイネーブル信号を出力し、前記第２のデータドライバは、前記第２のイネーブル信号がアクティブになった場合に、前記データバスに供給された前記画像データの取り込みを開始することとしてもよい。
【００１６】
このようにすれば、データバスを各データドライバ間で共用としても、表示コントローラからデータバスに画像データを供給してから、各データドライバが受信したイネーブル信号がアクティブになった場合に、当該各データドライバがデータバスから画像データを取り込むので、表示コントローラから各データドライバに画像データを供給できる。
【００１７】
また、本発明では、前記少なくとも１つのデータドライバとして、第１〜第Ｎのデータドライバ（Ｎは３以上の整数）が設けられ、前記第１〜第Ｎのデータドライバのうちの第１のデータドライバは、前記表示コントローラの前記第１の方向に配置され、前記第１〜第Ｎのデータドライバのうちの第ｉのデータドライバ（２≦ｉ≦Ｎ）は、前記第１〜第Ｎのデータドライバのうちの第（ｉ−１）のデータドライバの前記第１の方向に配置されることとしてもよい。
【００１８】
このようにすれば、データドライバが３つ以上の場合でも、第１の方向に沿って、表示コントローラから第１のデータドライバ、および第ｉのデータドライバ（２≦ｉ≦Ｎ）に画像データを供給して、第１のデータドライバ、および第ｉのデータドライバの駆動を制御することができる。
【００１９】
また、本発明では、前記基板上には、前記表示コントローラから前記第１〜第Ｎのデータドライバに前記画像データを供給するための共用のデータバスが配線され、前記表示コントローラは、前記第１のデータドライバに対して、前記第１のデータドライバによる前記画像データの取り込みをイネーブルにする第１のイネーブル信号を出力し、前記第（ｉ−１）のデータドライバは、前記第（ｉ−１）のデータドライバによる前記画像データの取り込みをイネーブルにする第（ｉ−１）のイネーブル信号がアクティブになった場合に、前記データバスに供給された前記画像データの取り込みを開始し、かつ前記第ｉのデータドライバに対して、前記第ｉのデータドライバによる前記画像データの取り込みをイネーブルにする第ｉのイネーブル信号を出力することとしてもよい。
【００２０】
このようにすれば、データドライバが３つ以上の場合でも、表示コントローラから各データドライバに画像データを供給するためのデータバスを電気光学パネルの基板上の縁部領域に１本だけ配線すればよいので、当該縁部領域の第２の方向での幅が大きくなるのを抑制することができる。
【００２１】
また、本発明では、前記少なくとも１つのデータドライバとして、第１のデータドライバと第２のデータドライバが設けられ、前記表示コントローラは、前記第１のデータドライバと前記第２のデータドライバとの間に配置されることとしてもよい。
【００２２】
このようにすれば、縁部領域の第２の方向での幅を小さくすることができる。
【００２３】
また、本発明では、前記基板上には、前記表示コントローラから前記第１のデータドライバに前記画像データを供給するための第１のデータバスと、前記表示コントローラから前記第２のデータドライバに前記画像データを供給するための第２のデータバスと、が配線され、前記表示コントローラは、前記第１のデータバスを介して、前記第１のデータドライバに前記画像データを供給すると共に、前記第２のデータバスを介して、前記第２のデータドライバに前記画像データを供給することとしてもよい。
【００２４】
このようにすれば、表示コントローラから第１のデータドライバおよび第２のデータドライバに画像データを供給する際に、第１のデータドライバに対応した第１のデータバス、第２のデータドライバに対応した第２のデータバスを介して、パラレルに画像データを供給するので、画像データの転送効率が向上する。
【００２５】
また、本発明では、前記表示コントローラの前記表示メモリは、第１のメモリブロックと第２のメモリブロックに分割され、前記制御ロジック回路は、前記第１のメモリブロックと前記第２のメモリブロックとの間に設けられ、前記第１のメモリブロックから読み出された画像データは、前記第１のデータバスを介して、前記第１のデータドライバに供給され、前記第２のメモリブロックから読み出された画像データは、前記第２のデータバスを介して、前記第２のデータドライバに供給されることとしてもよい。
【００２６】
このようにすれば、各メモリブロックからの画像データの供給先となるデータドライバへのデータバスの長さをより短くできるので、表示コントローラからデータドライバへの画像データの転送効率を向上させ、かつ転送の際の消費電力を低減できる。また、各メモリブロックの制御が容易になる。
【００２７】
また、本発明では、前記電気光学パネルの前記基板には、信号線が配線されたフレキシブル基板が接続され、前記表示コントローラは、前記フレキシブル基板に配線された前記信号線を介して前記少なくとも１つのデータドライバに信号を供給することとしてもよい。
【００２８】
このようにすれば、電気光学パネルの基板に形成されるデータバスよりも配線抵抗の小さい信号線をフレキシブル基板に配線できるので、信号伝送の品質を向上できる。
【００２９】
また、本発明では、前記表示コントローラは、前記少なくとも１つのデータドライバに対して高速シリアル転送で画像データを送信し、前記フレキシブル基板に配線される前記信号線は、前記高速シリアル転送における差動信号線であることとしてもよい。
【００３０】
このようにすれば、高速シリアル転送に対応可能な電気光学装置とし、かつ縁部領域の省スペース化が図れるようになる。
【００３１】
また、本発明では、前記表示コントローラは、電源電圧生成用の昇圧回路を含み、前記昇圧回路の昇圧用キャパシタは、前記フレキシブル基板に実装されることとしてもよい。
【００３２】
このように、昇圧用キャパシタをフレキシブル基板に実装させることによって、昇圧回路と昇圧用キャパシタのショートパスの接続や、電気光学装置の縁部領域の省スペース化等を実現できる。
【００３３】
また、本発明は、上記のいずれかに記載の電気光学装置を含む電子機器に関係する。
【発明を実施するための最良の形態】
【００３４】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００３５】
１．比較例
図１に、本実施形態の電気光学装置の比較例の電気光学装置の構成を示す。当該比較例の電気光学装置は、ガラス基板等の基板１２に画素領域が形成され、データドライバＳＤＡ１、ＳＤＡ２と走査ドライバＧＤによって駆動されるドットマトリクス型の画素領域１４が実装される電気光学パネル１０である。当該画素領域１４の第１の辺である第１の画素領域側辺ＳＡ１と、電気光学パネル１０の第１の辺であって第１の画素領域側辺ＳＡ１に対向する第１のパネル側辺ＳＢ１との間の第１の縁部領域ＥＡ１には、第１のデータドライバＳＤＡ１および第２のデータドライバＳＤＡ２がＤ１方向（第１の方向）に沿って設けられる。第１のデータドライバＳＤＡ１には、第１の駆動回路ＤＣ１と第１の表示メモリ（ＲＡＭ）ＭＡ１が含まれ、第２のデータドライバＳＤＡ２には、第２の駆動回路ＤＣ２と第２の表示メモリ（ＲＡＭ）ＭＡ２が含まれる。
【００３６】
一方、当該画素領域１４の第２の辺である第２の画素領域側辺ＳＡ２と、電気光学パネル１０の第２の辺であって第２の画素領域側辺ＳＡ２に対向する第２のパネル側辺ＳＢ２との間の第２の縁部領域ＥＡ２には、電気光学パネル１０の走査線を走査する走査ドライバＧＤが設けられる。走査ドライバＧＤには、外部電源からの電圧を昇圧するＤＣ／ＤＣコンバータＧＤＣが含まれる。
【００３７】
これらの各ドライバＧＤ、ＳＤＡ１、ＳＤＡ２は、プリント配線等により信号線が形成されているフレキシブル基板（ＦＰＣ：Flexible Printed Circuit）１６を介して接続される表示コントローラＬＣによって、駆動が制御されるようになっている。表示コントローラＬＣは、電気光学パネル１０の外部に有するＰＣＢ（Printed Circuit Board）１８に設けられ、外部とのインターフェース処理等を行う制御ロジック回路ＬＯＧと、外部電源からの電圧を昇圧するＤＣ／ＤＣコンバータＬＤＣが含まれる。
【００３８】
比較例の電気光学装置では、ホスト側から供給される画像データは、各表示メモリＭＡ１、ＭＡ２に書き込まれる。そして、各データドライバＳＤＡ１、ＳＤＡ２では、各表示メモリＭＡ１、ＭＡ２に書き込まれたデジタルの画像データをアナログのデータ電圧に変換して、各駆動回路ＤＣ１、ＤＣ２が画素領域１４のデータ線を駆動する。すなわち、図１において、画像データの信号の流れは、Ｄ２方向（第２の方向）である。このため、比較例では、当該画像データの信号の流れに合わせて、第１の表示メモリＭＡ１と第１の駆動回路ＤＣ１をＤ２方向（第２の方向）に沿って配置し、同様にして第２の表示メモリＭＡ２と第２の駆動回路ＤＣ２をＤ２方向に沿って配置している。このため、第１の縁部領域ＥＡ１のＤ２方向の幅が大きくなってしまい、電気光学パネル１０の基板に対する画素領域１４の占める割合が小さくなってしまう。
【００３９】
また、ＱＨＤ等のように電気光学パネル１０の解像度が上がると、画像データの転送スピードが上がり、動画のように画像データを常時転送するような場合では、電気光学装置のインターフェースの消費電力が増大する問題が生じてしまう。また、動画のように常時転送の場合だと、ホストと各データドライバＳＤＡ１、ＳＤＡ２との転送距離が大きいと、当該転送におけるホスト−表示メモリ（ＲＡＭ）間での信号線の消費電力が増大する問題が生じてしまう。
【００４０】
２．電気光学装置の構成
２．１．第１の構成例
以上のような各問題を解決できる本実施形態の電気光学装置の第１の構成例を図２（Ａ）に示す。第１の構成例では、電気光学装置は、ガラス等からなる基板１０２の上に画素領域１０４が設けられている電気光学パネル１００である。画素領域１０４には、複数の走査線（例えば、ゲート線）、複数のデータ線（例えば、ソース線）、および、その各画素がデータ線および走査線の交差位置に設けられる複数の画素が形成される。さらに、アクティブマトリクス方式のパネルの場合には、各画素の位置にＴＦＴ（Thin Film Transistor）が設けられる。各走査線は、走査ドライバＧＤによって走査が行われ、各データ線は、第１のデータドライバＳＤ１および第２のデータドライバＳＤ２によってデータ信号が供給される。このように各ドライバＧＤ、ＳＤ１、ＳＤ２が駆動して、電気光学パネル１００の電気光学素子（狭義には、液晶素子、ＥＬ素子）の光学特性を変化させることによって、電気光学パネル１００における表示動作を実現する。この電気光学パネル１００は、例えば、ＴＦＴ、ＴＦＤ（Thin Film Diode）などのスイッチ素子を用いたアクティブマトリクス方式のパネルにより構成できる。なお、電気光学パネルは、アクティブマトリクス方式以外のパネルであってもよいし、液晶パネル以外の例えば有機ＥＬ（Electro Luminescence）や無機ＥＬなどの発光素子を用いたパネルであってもよい。
【００４１】
第１の構成例では、第１のデータドライバＳＤ１および第２のデータドライバＳＤ２は、図２（Ａ）に示すように、画素領域１０４の第１の辺である第１の画素領域側辺ＳＡ１と、電気光学パネル１００の第１の辺であって第１の画素領域側辺ＳＡ１に対向する第１のパネル側辺ＳＢ１との間の第１の縁部領域ＥＡ１に、Ｄ１の方向に沿って設けられている。一方、走査ドライバＧＤは、画素領域１０４の第２の辺である第２の画素領域側辺ＳＡ２と、電気光学パネル１００の第２の辺であって、第２の画素領域側辺ＳＡ２に対向する第２のパネル側辺ＳＢ２との間の第２の縁部領域ＥＡ２に設けられる。
【００４２】
各データドライバＳＤ１、ＳＤ２および走査ドライバＧＤは、表示コントローラＬＣによって、駆動・動作が制御される。本実施形態の電気光学装置では、表示コントローラＬＣは、図２（Ａ）に示すように、第１の縁部領域ＥＡ１に設けられる。すなわち、本実施形態では、電気光学パネル１００の基板１０２に、表示コントローラＬＣおよび各ドライバＧＤ、ＳＤ１、ＳＤ２が設けられる。そして、これらの表示コントローラＬＣおよび各ドライバＧＤ、ＳＤ１、ＳＤ２は、電気光学パネル１００の基板１０２に、ＣＯＧ（Chip On Glass）方式により実装される。
【００４３】
表示コントローラＬＣは、図２（Ｂ）に示すように、ホスト等から供給される画像データの少なくとも１画面分を記憶するＲＡＭ等からなる表示メモリＭＢと、表示メモリＭＢの制御処理や外部とのインターフェース処理を行う制御ロジック回路ＬＯＧと、外部電源からの電圧を昇圧するＤＣ／ＤＣコンバータＬＤＣが含まれる。また、表示コントローラＬＣは、プリント配線等により信号線が形成されているフレキシブル基板（ＦＰＣ：Flexible Printed Circuit）１０６を介して、ＣＰＵ等のホスト側と接続されている。そして、ホスト側から供給されるコマンド信号および画像データに従って、表示コントローラＬＣは、各データドライバＳＤ１、ＳＤ２および走査ドライバＧＤを制御する。
【００４４】
また、本実施形態では、図２（Ａ）に示すように、表示コントローラＬＣは、第１の縁部領域ＥＡ１の一端側（図２（Ａ）に示す左端部側）に配置され、第１のデータドライバＳＤ１は、表示コントローラＬＣのＤ１方向（第１の方向）に配置され、第２のデータドライバＳＤ２は、第１のデータドライバＳＤ１のＤ１方向に配置される。そして、本実施形態では、表示コントローラＬＣのＤ２方向（第２の方向）における幅ＷＬは、各データドライバＳＤ１、ＳＤ２のＤ２方向における幅ＷＤ以下の大きさであること、すなわち、ＷＤ≧ＷＬであることを特徴とする。このように、表示コントローラＬＣのＤ２方向の幅ＷＬを各データドライバＳＤ１、ＳＤ２のＤ２方向の幅ＷＤ以下となるように、特に、図２（Ａ）に示すように、当該幅ＷＬが表示コントローラＬＣのＤ１方向の長さＬＬよりも格段に小さいスリムチップ形状とすることによって、第１の縁部領域ＥＡ１のＤ２方向の縮小が図れるようになる。
【００４５】
特に、表示コントローラＬＣの幅ＷＬを第１のデータドライバＳＤ１の幅ＷＤよりも小さいスリムチップ形状の表示コントローラＬＣとした場合では、図３に示すように、表示コントローラＬＣのＤ２方向側に第１の空き領域ＷＡ１、Ｄ４方向側に第２の空き領域ＷＡ２が第１の縁部領域ＥＡ１に形成されるようになる。このため、これらの空き領域ＷＡ１、ＷＡ２を表示コントローラＬＣと各ドライバＳＤ１、ＳＤ２、ＧＤとを接続する配線領域等に有効利用することによって、さらに第１の縁部領域ＥＡ１のＤ２方向（第２の方向）での幅を小さくできる。
【００４６】
また、第１の構成例では、図４に示すように、表示コントローラＬＣから第１のデータドライバＳＤ１、および第２のデータドライバＳＤ２に画像データＤ０〜Ｄ７を供給する際に、当該画像データの伝送路として使用する例えば８ビット幅のデータバスＤＢがＤ１方向（第１の方向）に沿うように、例えば１組だけ第１の縁部領域ＥＡ１に配線されている。すなわち、表示コントローラＬＣから各データドライバＳＤ１、ＳＤ２に画像データＤ０〜Ｄ７を供給する際に使用するデータバスＤＢは、各データドライバＳＤ１、ＳＤ２で共用となっている。
【００４７】
さらに、第１の構成例では、表示コントローラＬＣは、第１のデータドライバＳＤ１に対して、第１のデータドライバＳＤ１による画像データの取り込みをイネーブルにする第１のイネーブル信号ＥＩＯ１を出力する。その際に、表示コントローラＬＣは、第１のデータドライバＳＤ１に対して、シフトクロック信号ＬＰも供給する。
【００４８】
第１のデータドライバＳＤ１は、入力された第１のイネーブル信号ＥＩＯ１がアクティブになった場合に、表示コントローラＬＣからデータバスＤＢに供給された画像データＤ０〜Ｄ７の取り込みを開始する。そして、第１のデータドライバＳＤ１は、第１のデータドライバＳＤ１用の全ての画像データの取り込みが終了すると、第２のデータドライバＳＤ２に対して、第２のデータドライバＳＤ２による画像データの取り込みをイネーブルにする第２のイネーブル信号ＥＩＯ２を出力する。第２のデータドライバＳＤ２は、入力された第２のイネーブル信号ＥＩＯ２がアクティブになった場合に、データバスＤＢに供給された画像データＤ０〜Ｄ７の取り込みを開始する。
【００４９】
なお、図２（Ａ）に示す第１の構成例では、基板１０２の第１の縁部領域ＥＡ１に設けられるデータドライバＳＤが２個の場合について、説明しているが、データドライバＳＤの数は、２個に限定されない。すなわち、データドライバＳＤが１つでも良いし、Ｄ１方向（第１の方向）に沿って３つ以上設置する構成とすることも可能である。すなわち、Ｎ個（Ｎは３以上の整数）のデータドライバＳＤ１〜ＳＤＮを、第ｉのデータドライバＳＤｉ（２≦ｉ≦Ｎ）が第（ｉ−１）のデータドライバＳＤ（ｉ−１）のＤ１方向に配置されるように、Ｄ１方向（第１の方向）に沿って並列させ、かつ各データドライバＳＤ１〜ＳＤＮがデータバスＤＢを共用する構成とすることも可能である。その際に、第（ｉ−１）のデータドライバＳＤ（ｉ−１）は、第（ｉ−１）のイネーブル信号ＥＩＯ（ｉ−１）がアクティブになった場合に、データバスＤＢに供給された画像データＤ０〜Ｄ７の取り込みを開始し、かつ画像データの取り込みを終了したら、第ｉのデータドライバＳＤｉに対して、第ｉのイネーブル信号ＥＩＯｉを出力する。
【００５０】
このようにすれば、データドライバＳＤが３つ以上の場合でも、Ｄ１方向に沿って、表示コントローラＬＣから各データドライバＳＤ１〜ＳＤＮに画像データを供給し、かつイネーブル信号ＥＩＯ１〜ＥＩＯ（Ｎ−１）によって、各データドライバＳＤ１〜ＳＤＮの駆動制御ができる。また、表示コントローラＬＣから各データドライバＳＤ１〜ＳＤＮに画像データを供給するためのデータバスＤＢを電気光学パネル１００の基板１０２の縁部領域ＥＡ１に１本だけ配線すればよいので、当該縁部領域ＥＡ１のＤ２方向（第２の方向）の幅が大きくなるのを抑制することができる。
【００５１】
以上説明したように、第１の構成例では、電気光学パネル１００の基板１０２の第１の縁部領域ＥＡ１の一端側に表示メモリ（ＲＡＭ）ＭＢを実装する表示コントローラＬＣを設けて、当該表示コントローラＬＣのＤ１方向側に、複数のデータドライバＳＤ１〜ＳＤＮを当該Ｄ１方向に沿って配置させる。そして、各データドライバＳＤ１〜ＳＤＮにデータバスＤＢを共用させて、かつイネーブル信号ＥＩＯ１〜ＥＩＯ（Ｎ−１）によって、各データドライバＳＤ１〜ＳＤＮの画像データの取り込みを制御する構成とする。
【００５２】
このように、表示メモリ（ＲＡＭ）ＭＢを実装するスリムチップ形状の表示コントローラＬＣを、各データドライバＳＤ１〜ＳＤＮが配置される基板１０２の第１の縁部領域ＥＡ１に設けることによって、表示コントローラＬＣに画像処理機能を備えることができる。また、表示コントローラＬＣに当該画像処理機能を備えた上で、電気光学パネル１００の外部とのインターフェースをＲＧＢインターフェースおよびコマンドインターフェースとすることができる。さらに、表示コントローラＬＣをスリムチップ形状とすることによって、電気光学パネル１００の基板１０２における表示コントローラＬＣの配置場所の自由度が増すので、電気光学パネル１００の設計が容易になる。
【００５３】
このような構成とすることによって、本実施形態の電気光学装置を例えば４〜１２インチの中型パネルに適用した場合でも、携帯端末等で使用される小型パネルの１チップドライバと同様に、自走によるＲＡＭ内蔵表示が可能となる。このため、動画のように画像データを常時転送するような場合でも、電気光学パネル１００の外部デバイスとのインターフェースの消費電力を低減し、かつ、表示メモリＭＢ（ＲＡＭ）と各データドライバＳＤ１、ＳＤ２との間の転送距離を短縮できるので、画像データの転送における消費電力を低減できる。
【００５４】
また、表示コントローラＬＣからデータバスＤＢに画像データを供給してから、各データドライバＳＤ１〜ＳＤＮが受信したイネーブル信号ＥＩＯ１〜ＥＩＯ（Ｎ−１）がアクティブになった場合に、当該各データドライバＳＤ１〜ＳＤＮがデータバスＤＢから画像データを取り込むようになる。このため、データバスＤＢを各データドライバＳＤ１〜ＳＤＮ間で共用としても、表示コントローラＬＣから各データドライバＳＤ１〜ＳＤＮに画像データを供給可能とし、かつ基板１０２の第１の縁部領域ＥＡ１のＤ２方向（第２の方向）の幅を縮小できる。
【００５５】
２．２．第２の構成例
本実施形態の電気光学装置の第２の構成例を図５（Ａ）に示す。本実施形態の電気光学装置の第２の構成例である電気光学パネル２００は、第１の構成例である電気光学パネル１００と、第１のデータドライバＳＤ１、第２のデータドライバＳＤ２、および表示コントローラＬＣの第１の縁部領域ＥＡ１における配置が異なる。すなわち、図５（Ａ）に示すように、表示コントローラＬＣは、第１のデータドライバＳＤ１と第２のデータドライバＳＤ２との間に配置される。そして、走査ドライバＧＤも第１の縁部領域ＥＡ１に設けられている。なお、走査ドライバＧＤは、第１の構成例と同様に、第２の縁部領域ＥＡ２に設ける構成としてもよい。
【００５６】
また、第２の構成例では、第１の構成例と同様に、第１の縁部領域ＥＡ１のＤ２方向（第２の方向）の縮小を図るために、表示コントローラＬＣのＤ２方向（第２の方向）における幅ＷＬは、各データドライバＳＤ１、ＳＤ２のＤ２方向（第２の方向）における幅ＷＤ以下の大きさ、すなわち、ＷＤ≧ＷＬの関係とする。なお、図５に示す第１の構成例と同様に、表示コントローラＬＣの幅ＷＬを第１のデータドライバＳＤ１の幅ＷＤよりも小さいスリムチップ形状の表示コントローラＬＣとすると、配線領域等に有効利用可能な空き領域が形成されるようになる。
【００５７】
第２の構成例では、表示コントローラＬＣは、ホスト等から供給される画像データを記憶するＲＡＭ等の表示メモリとして、図５（Ｂ）に示すように、第１のメモリブロックＭＢ１と第２のメモリブロックＭＢ２に分割されたＲＡＭを内蔵する。そして、第１のメモリブロックＭＢ１と第２のメモリブロックＭＢ２との間に、これらのメモリブロックＭＢ１、ＭＢ２の制御処理や外部とのインターフェース処理を行う制御ロジック回路ＬＯＧが設けられている。また、第１のメモリブロックＭＢ１および第２のメモリブロックＭＢ２のＤ４方向側には、それぞれ外部電源からの電圧を昇圧する第１のＤＣ／ＤＣコンバータＬＤＣ１、第２のＤＣ／ＤＣコンバータＬＤＣ２が設けられている。表示コントローラＬＣをこのような構成とすることによって、ホスト側から供給されるコマンド信号および画像データに従って、表示コントローラＬＣは、各データドライバＳＤ１、ＳＤ２および走査ドライバＧＤを制御できるようになる。
【００５８】
表示コントローラＬＣから出力される画像データＤ０〜Ｄ７は、図６に示すように、第１のデータバスＤＢ１を介して第１のデータドライバＳＤ１に、第２のデータバスＤＢ２を介して第２のデータドライバＳＤ２にそれぞれ供給される。すなわち、表示コントローラＬＣの第１のメモリブロックＭＢ１から読み出された画像データＤ０〜Ｄ７は、第１のデータバスＤＢ１を介して第１のデータドライバＳＤ１に供給され、第２のメモリブロックＭＢ２から読み出された画像データＤ０〜Ｄ７は、第２のデータバスＤＢ２を介して、第２のデータドライバＳＤ２に供給される。
【００５９】
それによって、表示コントローラＬＣは、第１のデータバスＤＢ１および第２のデータバスＤＢ２を介して、同一の走査線に対応する画像データを第１のデータドライバＳＤ１および第２のデータドライバＳＤ２にパラレル（同時）に供給できる。このため、表示コントローラＬＣから第１のデータドライバＳＤ１および第２のデータドライバＳＤ２への画像データの転送時間を低減し、転送効率を向上させられる。
【００６０】
その後、図７に示すように、第１のデータドライバＳＤ１および第２のデータドライバＳＤ２から、第１の画素領域１０４ａおよび第２の画素領域１０４ｂに、当該画像データＤ０〜Ｄ７に対応したデータ電圧等のデータ信号ＤＳ１、ＤＳ２を同時に供給することができる。そして、例えば、第１の画素領域１０４ａ用の画像データは、第１のメモリブロックＭＢ１に記憶し、第２の画素領域１０４ｂ用の画像データは、第２のメモリブロックＭＢ２に記憶することができ、メモリの記憶制御や管理を簡素化できる。
【００６１】
また、表示コントローラＬＣの各メモリブロックＭＢ１、ＭＢ２からの画像データを短い配線のデータバスＤＢ１、ＤＢ２を用いて、データドライバＳＤ１、ＳＤ２に供給できる。このため、表示コントローラＬＣから各データドライバＳＤ１、ＳＤ２への画像データの転送効率が向上し、かつ当該画像データＤ０〜Ｄ７の転送の際の消費電力を低減できる。また、各メモリブロックＭＢ１、ＭＢ２の制御が簡素になる。
【００６２】
２．３．第３の構成例
本実施形態の電気光学装置の第３の構成例を図８に示す。本実施形態の電気光学装置の第３の構成例では、第２の構成例である電気光学パネル２００を高速シリアル転送に適用可能な構成としたものである。すなわち、表示コントローラＬＣ、第１のデータドライバＳＤ１、第２のデータドライバＳＤ２に、各々、高速シリアルインターフェース回路ＬＨＩ、ＤＨＩ１、ＤＨＩ２を設ける。そして、表示コントローラＬＣからの画像データを、第１のシリアルバス（ＤＰ１、ＤＭ１）を介した高速シリアル転送によって第１のデータドライバＳＤ１に供給する。また、表示コントローラＬＣからの画像データを、第２のシリアルバス（ＤＰ２、ＤＭ２）を介した高速シリアル転送によって、第２のデータドライバＳＤ２に供給する。
【００６３】
表示コントローラＬＣの高速シリアルインターフェース回路ＬＨＩは、第１のデータドライバＳＤ１用の第１のトランスミッタ回路ＴＸ１と、第２のデータドライバＳＤ２用の第２のトランスミッタ回路ＴＸ２を含む。また、第１のデータドライバＳＤ１の高速シリアルインターフェース回路ＤＨＩ１は、レシーバ回路ＲＸ１を含み、第２のデータドライバＳＤ２の高速シリアルインターフェース回路ＤＨＩ２は、レシーバ回路ＲＸ２を含む。
【００６４】
そして、表示コントローラＬＣのトランスミッタ回路ＴＸ１は、ＤＰ１、ＤＭ１の信号線で構成される差動信号線を介して、画像データを高速シリアル転送にて送信し、第１のデータドライバＳＤ１のレシーバ回路ＲＸ１が送信された画像データを受信する。同様に、表示コントローラＬＣ２のトランスミッタ回路ＴＸ２は、ＤＰ２、ＤＭ２の信号線で構成される差動信号線を介して、画像データを高速シリアル転送にて送信し、第２のデータドライバＳＤ２のレシーバ回路ＲＸ２が、送信された画像データを受信する。
【００６５】
このような高速シリアル転送を用いれば、表示コントローラＬＣと第１のデータドライバＳＤ１との間の画像データの転送や、表示コントローラＬＣと第２のデータドライバＳＤ２との間の画像データの転送を、ＣＭＯＳ信号を用いるデータ転送に比べて格段に高速化できる。
【００６６】
しかしながら、このような高速シリアル転送を採用した場合に、差動信号線の寄生抵抗値が大きいと、転送品質が大幅に劣化する。
【００６７】
そこで、第３の構成例では、ガラス等で構成される基板１０２より寄生抵抗値が小さい有機系材料等から形成されたフレキシブル基板１０６に、差動信号線となる第１のシリアルバス（ＤＰ１、ＤＭ１）と第２のシリアルバス（ＤＰ２、ＤＭ２）を設けた。
【００６８】
このようにすることによって、高速シリアル転送による効率的な画像データの転送を実現しながら、高速シリアル転送における転送品質も維持できるようになる。また、データドライバのインターフェースが高速シリアルインターフェース回路の場合に、表示コントローラからのデータ信号線を基板から、一旦フレキシブル基板に引き出してから、基板上の各データドライバに配線することによって、ＣＯＧ実装が可能となる。
【００６９】
３．データドライバ
本実施形態の電気光学装置に含まれるデータドライバの構成例を図９に示す。本実施形態では、データドライバ３０は、双方向シフトレジスタ部３２、データレジスタ部３４、ラッチ部３６、およびレベルシフタ部３８を含む。データドライバ３０は、双方向シフトレジスタ部３２を他のデータドライバの双方向シフトレジスタ部と直列に接続することで、カスケード接続できる構成となっている。なお、図９には、データ信号のライン数（出力ライン数、セグメント数）が１６０本であるデータドライバの一例を示す。
【００７０】
双方向シフトレジスタ部３２は、シフト方向選択信号ＳＨＬで指定される方向でシフト動作を行うシフトレジスタである。シフト方向選択信号ＳＨＬで右側のシフト方向が指定されると、第１のイネーブル信号ＥＩＯ１のパルス信号を順次右側にシフトして行き、第２のイネーブル信号ＥＩＯ２として出力する。反対に、シフト方向選択信号ＳＨＬで左側のシフト方向が指定されると、第２のイネーブル信号ＥＩＯ２のパルス信号を順次左側にシフトして行き、第１のイネーブル信号ＥＩＯ１として出力する。
【００７１】
データレジスタ部３４は、双方向シフトレジスタ部３２からのパルス信号に基づいて各画素（サブピクセル）の画像データ（Ｄ０〜Ｄ７）を取り込む回路である。
【００７２】
ラッチ部３６は、データレジスタ部３４に取り込まれた画像データ（Ｄ０〜Ｄ７）をラッチパルス信号ＬＰに基づいてラッチする回路である。
【００７３】
レベルシフタ部３８は、ラッチ部３６からのデジタルの画像データをアナログのデータ電圧であるデータ信号に変換する回路である。そして、レベルシフタ部３８で変換されたデータ信号は、画素領域のデータ線に供給される。
【００７４】
次に、本実施形態のデータドライバ３０の詳細な構成および当該詳細な構成のデータドライバの動作タイミングについて、図面を用いて説明する。図１０は、本実施形態のデータドライバ３０の詳細な構成例であり、図１１は、当該詳細な構成のデータドライバの動作タイミング図である。
【００７５】
双方向シフトレジスタ部３２は、図１０に示すように、フリップフロップ回路ＤＦ１〜ＤＦ１６０がカスケード接続されて構成され、データレジスタ部３４は、レジスタＲＧ１〜ＲＧ１６０により構成され、ラッチ部３６は、ラッチＬＡＴ１〜ＬＡＴ１６０により構成される。
【００７６】
フリップフロップ回路ＤＦ１は、第１のイネーブル信号ＥＩＯ１のパルス信号をラッチパルス信号ＬＰでラッチして、パルス信号Ｑ１を出力する。フリップフロップ回路ＤＦ２は、パルス信号Ｑ１をラッチパルス信号ＬＰでラッチすると、パルス信号Ｑ２を出力する。このように、フリップフロップ回路ＤＦｊ（２≦ｊ≦１５９）は、パルス信号Ｑ（ｊ−１）をラッチパルス信号ＬＰでラッチすると、パルス信号Ｑｊを出力し、フリップフロップ回路ＤＦ１６０は、パルス信号Ｑ１５９をラッチパルス信号ＬＰでラッチすると、パルス信号Ｑ１６０を第２のイネーブル信号ＥＩＯ２として出力する。
【００７７】
レジスタＲＧ１〜ＲＧ１６０には、それぞれフリップフロップ回路ＤＦ１〜ＤＦ１６０のパルス信号Ｑ１〜Ｑ１６０のパルス信号が入力される。
【００７８】
レジスタＲＧ１は、パルス信号Ｑ１の立ち上がりで画像データＤ０〜Ｄ７を取り込む。そして、レジスタＲＧ１に取り込まれた画像データＤ０〜Ｄ７は、ラッチパルス信号ＬＰによってラッチＬＡＴ１にラッチされる。
【００７９】
同様にして、レジスタＲＧｋ（２≦ｋ≦１６０）は、パルス信号Ｑｋの立ち上がりエッジで画像データＤ０〜Ｄ７を取り込む。そして、レジスタＲＧｋに取り込まれた画像データＤ０〜Ｄ７は、ラッチパルス信号ＬＰによってラッチＬＡＴｋにラッチされる。
【００８０】
そして、図９のレベルシフタ部３８は、ラッチＬＡＴ１〜ＬＡＴ１６０にラッチされた画像データをアナログのデータ信号（データ電圧）に変換して、画素領域のデータ信号線に供給する。
【００８１】
４．高速シリアルインターフェース回路
図１２に、高速シリアルインターフェース回路の詳細な構成例を示す。図１２は、図８に示す本実施形態の第３の構成例の電気光学装置の第１、第２のデータドライバＳＤ１、ＳＤ２に設けられる高速シリアルインターフェース回路ＲＸ１、ＲＸ２の構成例である。なお、クロックについては、差動信号により転送せずに、ＣＭＯＳ信号で転送してもよい。この場合には、クロック用のレシーバ回路は不要になる。
【００８２】
高速シリアルインターフェース回路４０は、物理層回路５０と、ロジック回路７０とを含む。
【００８３】
物理層回路５０（レシーバ）は、差動信号（差動データ信号、差動クロック信号）を用いてデータ（パケット）やクロックを受信するための回路である。具体的には、電流駆動または電圧駆動されたシリアルバスの差動信号線からデータ等の受信を行う。この物理層回路５０は、データ用レシーバ回路５２や、クロック用レシーバ回路５４などを含むことができる。このデータ用レシーバ回路５２は、図８に示す第３の構成例の高速インターフェース回路ＤＨＩ１に設けられるレシーバ回路ＲＸ１や、高速インターフェース回路ＤＨＩ２に設けられるレシーバ回路ＲＸ２に対応する。
【００８４】
なお、物理層回路５０は、トランスミッタ回路を含むこともでき、その場合は、データやクロックの送信を行うこともできる。また、図１２に示すデータ用レシーバ回路５２をデータ用トランスミッタ回路とし、クロック用レシーバ回路５４をクロック用トランスミッタ回路とすることにより、本実施形態の電気光学装置の第３の構成例に含まれるトランスミッタ回路ＴＸを実現できる。
【００８５】
ロジック回路７０は、高速シリアルインターフェース回路４０とドライバの内部回路との間のインターフェース処理を行う。具体的には、ロジック回路７０は、サンプリング回路７２、シリアルパラレル変換回路７４を含むことができる。サンプリング回路７２は、データ用レシーバ回路５２からのデータ信号をクロック用レシーバ回路５４からのクロックでサンプリングしシリアルデータを生成する。シリアルパラレル変換回路７４は、そのシリアルデータをパラレルデータに変換し、ドライバの内部回路に出力する。なお、ロジック回路７０は、物理層の上層であるリンク層の処理を行うためのリンクコントローラを含むこともできる。
【００８６】
５．昇圧回路
次に、本実施形態の電気光学装置に含まれる昇圧回路について、図面を用いて説明する。図１３（Ａ）に、本実施形態の昇圧回路の構成例を示す。本実施形態では、昇圧回路８２は、表示コントローラＬＣに含まれるＤＣ／ＤＣコンバータ８０に設けられ、表示コントローラＬＣの電源電圧の生成に使用される。昇圧回路８２は、昇圧トランジスタであるＰ型トランジスタＴＢ１１、Ｎ型トランジスタＴＢ１２、ＴＢ１３、ＴＢ１４を含み、ＤＣ／ＤＣコンバータ８０に含まれる昇圧制御回路８４によって制御される。そして、昇圧回路８２と接続されるＶＯＵＴ、Ｃ１１Ｐ、ＶＤＤ２、Ｃ１１Ｎ、ＶＳＳのパッド（昇圧用パッド）には、昇圧回路８２のトランジスタＴＢ１１、ＴＢ１２、ＴＢ１３、ＴＢ１４のドレインまたはソースが接続される。また、Ｃ１１Ｐ、Ｃ１１Ｎのパッドには、昇圧用キャパシタＣＣが接続される。なお、ＤＣ／ＤＣコンバータ８０には、例えば、１次昇圧回路〜４次昇圧回路というように、複数の昇圧回路を設けることができるが、図１３（Ａ）では、そのうちの１つの昇圧回路だけが設けられた場合の構成を示している。
【００８７】
本実施形態では、昇圧用キャパシタＣＣを図２に示すように、フレキシブル基板（ＦＰＣ）１０６に実装している。
【００８８】
すなわち、フレキシブル基板には、ホスト側からの画像データを表示コントローラに供給するための信号線を配線する必要がある。このため、フレキシブル基板は、表示コントローラの実装位置の近くに接続することが望ましい。即ち、電気光学パネルの基板に設けられる、フレキシブル基板との接続部分を、表示コントローラの実装位置の近くに設けることが望ましい。
【００８９】
ところが、これまでの電気光学装置では、データドライバに昇圧回路（ＤＣ／ＤＣコンバータ）を内蔵させていた。従って、表示コントローラの実装位置の近くにフレキシブル基板を接続すると、フレキシブル基板とデータドライバとの距離が離れてしまうため、データドライバに内蔵される昇圧回路用の昇圧用キャパシタを、フレキシブル基板に実装することが困難になる。
【００９０】
この点、本実施形態では、表示コントローラＬＣに、昇圧回路８２（ＤＣ／ＤＣコンバータＬＤＣ）を内蔵させている。従って、ホスト側からの画像データの信号線をフレキシブル基板１０６に配線させるために、表示コントローラＬＣの実装位置の近くにフレキシブル基板１０６を接続した場合に、昇圧用キャパシタＣＣをフレキシブル基板１０６に実装することが可能になる。即ち、表示コントローラＬＣの実装位置の近くにフレキシブル基板１０６が接続されると、表示コントローラＬＣが内蔵する昇圧回路と、フレキシブル基板１０６に実装される昇圧用キャパシタＣＣとの間の距離が短くなり、昇圧回路の昇圧トランジスタのドレイン又はソースを、昇圧用キャパシタＣＣにショートパスで接続できるからである。
【００９１】
図１３（Ｂ）に、昇圧制御回路８４が生成する昇圧クロックＰＨ１、ＰＨ２、ＰＨ３、ＰＨ４の波形例を示す。昇圧制御回路８４は、これらの昇圧クロックＰＨ１、ＰＨ２、ＰＨ４、ＰＨ４を昇圧トランジスタＴＢ１１、ＴＢ１２、ＴＢ１３、ＴＢ１４に供給して、そのゲートを制御する。この場合に昇圧トランジスタＴＢ１１、ＴＢ１２、ＴＢ１３、ＴＢ１４の貫通電流を防止するために、これらの昇圧クロックＰＨ１〜ＰＨ４は、その立ち上がりタイミングおよび立ち下がりタイミングが重複せず、そのアクティブ期間がノンオーバラップとなるクロックになっている。
【００９２】
図１３（Ｂ）の期間Ｔ１では、昇圧制御回路８４からの昇圧クロックＰＨ２、ＰＨ４が共にＨレベルになり、トランジスタＴＢ１２、ＴＢ１４がオンになる。また、昇圧クロックＰＨ１、ＰＨ３がＨレベル、Ｌレベルになり、トランジスタＴＢ１１、ＴＢ１３がオフになる。これにより昇圧用キャパシタＣＣの上側電極には、昇圧用の基準電源電圧ＶＤＤ２が供給され、下側電極には、接地電源電圧ＶＳＳが供給される。従って、昇圧用キャパシタＣＣには、ＶＤＤ２とＶＳＳの電圧差に応じた電荷が蓄積される。
【００９３】
図１３（Ｂ）の期間Ｔ２では、昇圧制御回路８４からの昇圧クロックＰＨ２、ＰＨ４が共にＬレベルになり、トランジスタＴＢ１２、ＴＢ１４がオフになる。また、昇圧クロックＰＨ１、ＰＨ３がＬレベル、Ｈレベルになり、トランジスタＴＢ１１、ＴＢ１３がオンになる。これにより昇圧用キャパシタＣＣ１の下側電極には、基準電源電圧ＶＤＤ２が供給される。従って、昇圧用キャパシタＣＣ１の上側電極（ＶＯＵＴのパッド）の電圧は、２×ＶＤＤ２になる。即ちＶＯＵＴ＝２×ＶＤＤ２の電源電圧が生成される。
【００９４】
６．電子機器
図１４に上記実施形態にて説明した電気光学装置を含む電子機器の一例を示す。なお、電子機器は、図１４に示されるもの以外の構成要素（例えば、カメラ、表示部、または電源等）を含んでもよい。また、本実施形態の電気光学装置は、車載用パネル、タッチパネル、プロジェクタ、ＰＤＡ、電子手帳、電子辞書、リアプロジェクションテレビ、ＡＶ機器、携帯型ＡＶ機器、或いは携帯型情報端末と言った液晶パネルなどの電気光学装置を搭載した種々の電子機器に適用可能である。
【００９５】
電子機器５００は、装置内の各デバイスや構成要素を制御するための制御プログラムを記憶している不図示のＲＯＭ（Read Only Memory）および当該制御動作をする際に一時的に各種データが書き込まれるＲＡＭ（Random Access Memory）を含むＣＰＵ（Central Processing Unit）５０２を備える。ＣＰＵ５０２には、メモリ５０４、操作部５０８、本実施形態の電気光学装置５２０、およびインターフェース部５１０が接続され、ＣＰＵ５０２は、これらのデバイスや構成要素の動作を制御している。
【００９６】
ＣＰＵ５０２は、不図示の電源から電力が供給されると、ＲＯＭに予め書き込まれたプログラムに従って、ＣＰＵ５０２に接続された電子機器５００内の各デバイスを統括して制御するホストとしての機能を有する。そして、当該制御によって、当該各デバイスの処理動作を実行し、この間に入出力される画像データ等の各種データを不図示のＲＡＭの所定のメモリエリアに一時記憶して、ＲＯＭから読み出されたプログラムを実行する。
【００９７】
メモリ５０４は、画像データ等の各種データを記憶する機能を有する。操作部５０８は、入力キー等の操作手段によってユーザの操作を実行させる機能を有する。
【００９８】
電気光学装置５２０は、メモリ５０４に記憶された画像データに基づいて表示動作を行う。電気光学装置５２０は、画素領域が形成される電気光学パネル５２２、当該電気光学パネル５２２のデータ線にデータ信号を供給するデータドライバ５２４、およびデータドライバ５２４の制御等を行う表示コントローラ５２６を含む。なお、電気光学パネル５２２は、液晶パネル以外の例えば有機ＥＬ（Electro Luminescence）や無機ＥＬなどの発光素子を用いたパネルであってもよい。電気光学装置５２０をこのような構成とすることによって、ＣＰＵ５０２により設定された画像データの内容に従って、表示コントローラ５２６がデータドライバ５２４や走査ドライバを制御して、電気光学パネル５２２の電気光学素子（狭義には、液晶素子、ＥＬ素子）の光学特性を変化させることによって表示動作を実現する。
【００９９】
なお、上記のように本実施形態について詳細に説明したが、本発明の新規事項および効果から実体的に逸脱しない多くの変形が可能であることは、当業者には、容易に理解できるであろう。従って、このような変形例は、全て本発明の範囲に含まれるものとする。
【０１００】
例えば、明細書または図面において、少なくとも一度、より広義または同義な異なる用語と共に記載された用語は、明細書または図面のいかなる箇所においても、その異なる用語に置き換えることができる。また、電気光学装置、電子機器の構成、動作も本実施形態で説明したものに限定に限定されず、種々の変形実施が可能である。
【図面の簡単な説明】
【０１０１】
【図１】本実施形態の電気光学装置の比較例の説明図。
【図２】図２（Ａ）、図２（Ｂ）は、本実施形態の電気光学装置の第１の構成例。
【図３】本実施形態の電気光学装置の第１の構成例の縁部領域の変形例。
【図４】本実施形態の電気光学装置の第１の構成例の縁部領域の平面レイアウト例。
【図５】図５（Ａ）、図５（Ｂ）は、本実施形態の電気光学装置の第２の構成例。
【図６】本実施形態の電気光学装置の第２の構成例の縁部領域の平面レイアウト例。
【図７】本実施形態の電気光学装置の第２の構成例の動作説明図。
【図８】本実施形態の電気光学装置の第３の構成例。
【図９】データドライバの構成例。
【図１０】データドライバの詳細な構成例。
【図１１】データドライバの動作タイミング図。
【図１２】高速シリアルインターフェース回路の構成例。
【図１３】図１３（Ａ）は昇圧回路の構成例、図１３（Ｂ）は昇圧回路の動作の説明図。
【図１４】電子機器の構成例。
【符号の説明】
【０１０２】
ＣＣ  昇圧用キャパシタ、ＥＡ１  第１の縁部領域、ＥＡ２  第２の縁部領域、
ＧＤ  走査ドライバ、ＬＯＧ  制御ロジック回路、ＭＢ  表示メモリ、
ＳＡ１  第１の画素領域側辺、ＳＢ１  第１のパネル側辺、
ＳＤ１  第１のデータドライバ、ＳＤ２  第２のデータドライバ、
３０  データドライバ、３２  双方向シフトレジスタ部、３４  データレジスタ部、
３６  ラッチ部、３８  レベルシフタ部、４０  高速シリアルインターフェース回路、
１００  電気光学パネル、１０２  基板、１０４  画素領域、
１０６  フレキシブル基板、５００  電子機器
【図１】
2009258509.tif 000003
【図２】
2009258509.tif 000004
【図３】
2009258509.tif 000005
【図４】
2009258509.tif 000006
【図５】
2009258509.tif 000007
【図６】
2009258509.tif 000008
【図７】
2009258509.tif 000009
【図８】
2009258509.tif 000010
【図９】
2009258509.tif 000011
【図１０】
2009258509.tif 000012
【図１１】
2009258509.tif 000013
【図１２】
2009258509.tif 000014
【図１３】
2009258509.tif 000015
【図１４】
2009258509.tif 000016